(57)【要約】      （修正有）【課題】運搬の過程において、漏れが生じることのない香水スプレーヘッドを提供する。【解決手段】固定ケース２は香水瓶に結合し、内側はめ込みパーツの下部のはめ込み部分３４は、固定ケース内にはめ込まれていて、内側はめ込みパーツの上方の浅い槽３２には固定リング３２１があって、浅い槽の中心の貫通穴３３の内側には螺旋部分３３１があって、貫通穴とはめ込み部分に回転軸４、引水管５が取り付けられている。この回転軸内には通気穴４１があって、中間から下部にかけてその外側に突起する形で環状歯部分４２がある。回転軸と内側はめ込みパーツを結合させ、その外部突出螺旋部分４３と螺旋部分が互いにかみ合うことにより、通気穴が内側はめ込みパーツの上方にはまり込む。螺旋部分が回転軸に約３０度回転した角度を与えることにより、スプレーヘッドは小さな回転角度を持つ回転スプレーヘッドとして、スプレーヘッド内部の通り道を完全に開け、閉めする。【選択図】図６
0003109796.tif 000002
【実用新案登録請求の範囲】
【請求項１】
スプレーヘッド、固定ケース、内側はめ込みパーツ、回転軸、及び、外側ケースからなり、固定ケースが香水瓶に取り付けられ、回転軸が内側はめ込みパーツの中に取り付けられて、香水液が回転軸を経て、回転軸に連結したスプレーヘッドから噴射され、
固定ケース上方にはくぼみリング槽があって、その内側に歯を持つ結合槽があって、
内側はめ込みパーツのリング型の結合本体部分はくぼみリング槽の歯を持つ結合槽と互いにかみ合い、内側はめ込みパーツ下方のはめ込み部分は固定ケースの中に伸びて納まり、内側はめ込みパーツの上方には浅い槽があって、浅い槽の中は固定リングで埋められていて、浅い槽の中心は貫通穴を貫通し、貫通穴の内壁には螺旋部分があって、貫通穴とはめ込み部分の径の大きさが異なることで、それぞれ回転軸及び引水管に対応するようになっていて、
回転軸内には通気穴があって、その中間から下方にかけて外側に突出した環状歯部分があって、この環状歯部分はそれぞれ上部に外部突出螺旋部分、及び、下部に径方向貫通穴を持ち、
外側ケースは固定ケースの外側にはめ込まれ、共に、固定ケース上の内側はめ込みパーツ及び回転軸と結合して固定し、
回転軸と内側はめ込みパーツが結合することで、その外部突出螺旋部分が螺旋部分と互いにかみ合い、通気穴が内側はめ込みパーツ上方に伸びて納まり、その下端にある径方向貫通穴は貫通穴の中に納まって、この部分の内側はめ込みパーツの外径は貫通穴より小さいため、貫通孔との間に隙間を生じ、その回転軸の外部突出螺旋部分が内側はめ込みパーツの螺旋部分の中にはまり込んで、螺旋部分が回転軸に約３０度の回転角度を提供することで、回転軸が回転することによって、上下移動を行い、香水スプレーヘッド構造が通り道を開け、閉めするという特長を持つ、香水スプレーヘッドの漏れを防ぐ構造。
【請求項２】
内側はめ込みパーツの浅い槽の上縁に固定突起リングがあって、固定リングを制限して固定する、請求項１に記載の香水スプレーヘッドの漏れを防ぐ構造。
【考案の詳細な説明】
【技術分野】
【０００１】
本考案は、香水スプレーヘッドの漏れを防ぐ構造に関する。
【背景技術】
【０００２】
一般に市販されている香水スプレーはスプレー式のダブル水平タイプが主流を占める。現在の香水瓶は、精巧さや斬新さが要求されるため、そのスプレーヘッドの設計がよくないと、使用上大きな制限を受ける。しかしながら、従来の香水瓶は香水が充填された後、輸送の過程において、高温環境に置かれると、圧力で香水が漏れ出し、目的地に着いたときには香水瓶が汚れて価値が下がってしまうという問題が生じる。
図８を参照いただきたい。従来のスプレー式香水瓶はスプレーヘッド１０内に水平穴１０１及びそれに通じる通り道１０４がある。通り道下方には、液供給管２０が接続されている。水平穴１０１内にはスプレーパーツ１０２があって、このスプレーパーツ１０２後部には空気供給接続管１０３が接続されている。上記の構造により、スプレーヘッド１０は直接香水瓶と結合し、それによって、香水液は直接液供給管２０によって通り道１０４へと送られることで、香水液は水平穴１０１に進入して、導管状となり、長距離輸送と高温環境で香水が漏れ出すという状況が生じる。  
業者はこの状況を改善するため、普通は香水瓶を販売する前にはスプレーヘッドを瓶に取り付けないで、消費者が購入後に、自分で取り付けるという方法を採用している。この方法は現在のところ、業者が香水の漏れを防ぐ方法としては最良だとされている。
【考案の開示】
【考案が解決しようとする課題】
【０００３】
本考案は、閉鎖構造を設けることにより、香水瓶が運搬の過程において、あるいは、温度が上昇した際に漏れが生じるといった問題を改善することを課題とする。
【課題を解決するための手段】
【０００４】
本考案の香水スプレーヘッドは、スプレーヘッド、固定ケース、内側はめ込みパーツ、回転軸、及び、外側ケースからなる。そのうち、固定ケースは香水瓶に結合し、内側はめ込みパーツの下部のはめ込み部分は、固定ケース内にはめ込まれていて、内側はめ込みパーツの上方の浅い槽には固定リングがあって、浅い槽の中心は貫通穴に通じている。その貫通穴の内側には螺旋部分があって、貫通穴とはめ込み部分に回転軸が取り付けられ、引水管が取り付けられている。この回転軸内には通気穴があって、中間から下部にかけてその外側に突起する形で環状歯部分がある。回転軸と内側はめ込みパーツを結合させ、その外部突出螺旋部分と螺旋部分が互いにかみ合うことにより、通気穴が内側はめ込みパーツの上方にはまり込む。そして、下部先端にある径方向貫通穴が貫通穴の中に納まり、貫通穴との間に隙間を形成する。この回転軸の外部突出螺旋部分は内側はめ込みパーツの螺旋部分にかみ合って納まり、螺旋部分が回転軸に約３０度回転した角度を与えることにより、スプレーヘッドは小さな回転角度を持つ回転スプレーヘッドとして、スプレーヘッド内部の通り道を完全に開け、閉めする。
【考案の効果】
【０００５】
本考案の香水スプレーヘッドの漏れを防ぐ構造は、スプレーヘッドが取り付けられ、あるいは、使用しない場合、小さな角度の回転スプレーヘッドとして、スプレーヘッド内部の通り道を完全に開け、閉めするので、香水液が外に漏れ出すことがない。使用時には、スプレーヘッドをわずかに反対方向に回転させるだけで開けて使用することができるという特長を持つ。
【考案を実施するための最良の形態】
【０００６】
図１から図４、及び、図６を参照いただきたい。本考案の香水スプレーヘッドの漏れを防ぐ構造はスプレーヘッド１、固定ケース２、内側はめ込みパーツ３、回転軸４、及び、外側ケース６からなる。そして、外側ケース６の内部に、固定ケース２、内側はめ込みパーツ３、及び、回転軸４が取り付けられ、さらに、回転軸４によってスプレーヘッド１に取り付けられる。
【０００７】
上述のスプレーヘッド１内には、水平方向穴１１及び内側に歯のある穴１４があって、水平方向穴１１の一端は噴射口１２に通じている。もう一方の端は空気供給接続管１３に接続していて、空気供給接続管１３の外側に空気供給装置７を取り付けるようになっている。
【０００８】
外側ケース６内の固定ケース２は、その内部の螺旋部分２２が香水瓶８に取り付けらるようになっている。固定ケース２の上方にはくぼみリング槽２１があって、その内側に歯を持つ結合槽２１１がある。このくぼみリング槽２１は内側はめ込みパーツ３にはめ込むようになっている。
【０００９】
この内側はめ込みパーツ３の結合本体部分３１はくぼみリング槽２１の歯を持つ結合槽２１１と互いにかみ合う。内側はめ込みパーツ３下方のはめ込み部分３４は固定ケース２の中に伸びて納まる。内側はめ込みパーツ３の上方には浅い槽３２があって、この浅い槽３２の中心は貫通穴３３を貫通する。そして、貫通穴３３内壁には螺旋部分３３１があって、貫通穴３３とはめ込み部分３４の径の大きさが異なることで、それぞれ回転軸４及び引水管５に対応するようになっている。
【００１０】
この回転軸４内には通気穴４１があって、その中間から下方にかけて外側に突出した環状歯部分４２がある。この環状歯部分４２はそれぞれ上部に外部突出螺旋部分４３、及び、下部に径方向貫通穴４４を持つ。回転軸４が内側はめ込みケース３と結合すると、その外部突出螺旋部分４３が螺旋部分３３１と互いにかみ合い、通気穴４１が内側はめ込みパーツ３上方に伸びて納まる。そして、その下端にある径方向貫通穴４４は貫通穴３３の中に納まる。この部分の内側はめ込みパーツ３の外径は貫通穴３３より小さいため、貫通孔３３との間に隙間を生ずる。また、回転軸４が内側はめ込みパーツ３の中に限定され、浅い槽３２の中が固定リング３５で埋まっていることにより、固定リング３５が浅い槽３２内に埋まっていることは、浅い槽３２上縁の固定突起リング３２１によってその位置を固定する。固定リング３５が固定された時、同時に回転軸４は固定リング３５の制限を受け、回転軸４は内側はめ込みパーツ３と結合し、離脱することがない。
【００１１】
また、回転軸４及び内側はめ込みパーツ３が固定ケース２に取り付けられた時、固定ケース２外部は、外側ケース６によってこれらのパーツが既定の位置に固定される。
【００１２】
本考案の香水スプレー回転漏れ防止構造については、図５及び図６を参照いただきたい。前述の構造のうち、スプレーヘッド１内部の内側に歯のある穴１４は、回転軸４の環状歯部分４２とかみ合ってはまり込む。このため、スプレーヘッド１が回転すると、回転軸４も共に回転する。環状歯部分４２と螺旋部分３３１の間には小さな螺旋部分によるかみ合わせ関係がある。回転する力は小さく、固定ケース２と香水瓶の間にある大きな螺旋部分によるかみ合わせとは異なるため、回転スプレーヘッド１は固定ケース２を回転させることはない。この回転軸４の外部突出螺旋部分４３は内側はめ込みパーツ３の螺旋部分３３１に中に納まってかみ合い、螺旋部分３３１は、回転軸４に約３０度の回転角度を提供する。このため、回転軸４は回転することによって、上下移動を行なう。スプレーヘッド１が約３０度に回転した時、それに連結している回転軸４も共に回転する。同時に、回転軸４の底面が内側はめ込みパーツ３の貫通穴３３の底部を押さえ、さらに、香水液が流れ出す出口である貫通穴３３を封鎖し、香水液が溢れ出ることがない。
【００１３】
さらに、本考案の香水スプレーヘッドを使用し香水を噴射する構造については、図５から図７までを参照いただきたい。上述の構造は、スプレーヘッド１が回転軸４を回転させて、香水液が溢れ出るのを防いでいる。スプレーヘッド１を開ける時は、反対方向に約３０度回転させるだけである。この時、同時に回転軸４の環状歯部分４２が螺旋部分３３１とかみ合って回転することで、回転軸４を上に移動し、この時、回転軸４の底面が内側はめ込みパーツ３の貫通穴３３の底部の間に通り道３３２を形成し、香水はこの通り道３３２を通って回転軸４を経てスプレーヘッド１から噴射される。
【００１４】
本考案の香水スプレーヘッドの漏れを防ぐ構造は、小さな角度の回転によって、香水液の流れを開閉するため、使用しない時、あるいは、運送時には、スプレーヘッド１を回転させ、回転軸４を移動させ、簡単に内部の通り道を封鎖できる。したがって、運送の過程によって、高温、高圧状態に置かれても香水が溢れ出ることがない。そして、使用する際は、ただスプレーヘッドを小さな角度で回転させるだけで、回転軸が通り道を開け、香水を噴射させることが可能である。
【図面の簡単な説明】
【００１５】
【図１】本考案の立体外観図である。
【図２】本考案の部分分解立体図である。
【図３】本考案の分解立体図である。
【図４】本案を香水スプレー装置と組み合わせた実施例の立体図である。
【図５】本考案の回転ノズルが開閉する状態を示した図である。
【図６】本考案の回転ノズルの閉鎖状態における断面図である。
【図７】本考案の回転ノズルが開き、同時に香水が噴出状態を示した断面図である。
【図８】従来の香水スプレー構造の断面図である。
【符号の説明】
【００１６】
１        スプレーヘッド
１１      水平方向穴
１２      噴射口
１３      空気供給接続管
１４      内側に歯のある穴
２        固定ケース
２１      くぼみリング槽
２１１    歯を持つ結合槽
２２      螺旋結合部分
３        内側はめ込みパーツ
３１      結合本体部分
３２      浅い槽
３２１    固定突起リング
３３      貫通穴
３３１    螺旋部分
３３２    通り道
３４      はめ込み部分
３５      固定リング
４        回転軸
４１      通気穴
４２      環状歯部分
４３      外部突出螺旋部分
４４      径方向貫通穴
５        引水管
６        外側ケース
７        空気供給装置
８        香水瓶
１０      スプレーヘッド
１０１    水平穴
１０２    噴霧パーツ
１０３    空気供給接続管
１０４    通り道
２０      液体供給管
【図１】
0003109796.tif 000003
【図２】
0003109796.tif 000004
【図３】
0003109796.tif 000005
【図４】
0003109796.tif 000006
【図５】
0003109796.tif 000007
【図６】
0003109796.tif 000008
【図７】
0003109796.tif 000009
【図８】
0003109796.tif 000010